(57)【特許請求の範囲】
【請求項１】
交換レンズが装着されるレンズマウントと；
このレンズマウントに対する上記交換レンズの合わせ位置を示すマウント指標として、上記レンズマウントに穿設された貫通孔およびこの貫通孔に嵌まる透明材と；
この透明材からなるマウント指標をカメラボディ内から照明してマウント指標を発光させる光源と；を備えたことを特徴とするカメラボディ。
【請求項２】
請求項１に記載のカメラボディにおいて、透明材は有色透明材であるカメラボディ。
【請求項３】
請求項１または２に記載のカメラボディにおいて、さらに、レンズマウントに装着された交換レンズの着脱をロックするロック機構と；このロック機構のロック状態を解除するロック解除釦と；このロック解除釦の操作に応じて開閉するスイッチと；このスイッチの開閉状態に応じて光源をオンオフする制御手段と；を備え、制御手段は、上記ロック解除釦が押されてスイッチがオンしたときに上記光源をオンにするカメラボディ。
【請求項４】
請求項３に記載のカメラボディにおいて、制御手段は、前記スイッチがオンしている間、光源をオンするカメラボディ。
【請求項５】
請求項３に記載のカメラボディにおいて、制御手段は、光源をオンにした後、所定時間経過後に光源をオフにするカメラボディ。
【請求項６】
請求項３または４に記載のカメラボディにおいて、さらに、レンズマウントに対する交換レンズの装着の有無を検出する検出手段を備え、制御手段は、この検出手段を介してレンズマウントに交換レンズが装着されていることを認識しているときは、ロック解除釦が押されても光源をオンにしないカメラボディ。
【発明の詳細な説明】
【０００１】
【技術分野】
本発明は、交換レンズが装着されるレンズマウントを有するカメラボディに関する。
【０００２】
【従来技術及びその問題点】
従来、レンズ交換式カメラのカメラボディには、交換レンズが装着されるリング形状のレンズマウントが備わっている。このレンズマウントとしては、バヨネット式やスクリュー式を採用したものが広く知られている。
【０００３】
レンズマウントに交換レンズを装着するときは、先ず、交換レンズのレンズマウント上に形成されたマウント指標が、カメラボディのレンズマウント上に形成されたマウント指標と合致するように両レンズマウントを互いに重ね合せ、次に、この互いのマウント指標を合致させた状態からカメラボディと交換レンズを互いに相対回転させる。
【０００４】
従来このような交換レンズの装着作業は、明るい環境下では互いのマウント指標を視認しながら容易に行なえるが、暗い環境下では互いのマウント指標を視認しずらく容易に行なうことができなかった。このため従来では、暗い環境下で交換レンズの装着作業を行なうときには、時として懐中電灯や、カメラボディのホットシュー等に取り付ける外付けライト等を使用する必要があった。
【０００５】
【発明の目的】
本発明は、上述した従来の問題点に鑑みてなされたもので、暗い環境下であっても交換レンズをカメラボディに装着する作業を容易に行なうことを可能にするカメラボディを提供することを目的とする。
【０００６】
【発明の概要】
本発明のカメラボディは、交換レンズが装着されるレンズマウントと；このレンズマウントに対する上記交換レンズの合わせ位置を示すマウント指標として、上記レンズマウントに穿設された貫通孔およびこの貫通孔に嵌まる透明材と；この透明材からなるマウント指標をカメラボディ内から照明してマウント指標を発光させる光源とを備えたことを特徴としている。
【０００７】
本発明によれば、暗い環境下であってもレンズマウント上のマウント指標自体を発光させることができるので、マウント指標の位置を確認し易くなる。マウント指標を構成する透明材は、明るい環境下では光源を点灯しなくても視認し易いように、例えば赤色のプラスチック材等の有色透明材であることが好ましい。
【０００８】
【発明の実施の形態】
以下、図示実施形態に基づいて本発明を説明する。図１は、本発明を適用したカメラボディ１０を示しており、図２は、カメラボディ１０に装着される交換レンズ３０を示している。
【０００９】
カメラボディ１０は、レンズ交換式一眼レフカメラシステムのカメラボディであり、ボディ前面の略中央に、リング形状のレンズマウント（カメラ側レンズマウント）１１を有している。このレンズマウント１１はバヨネット式マウントであり、レンズマウント１１の内周に沿って３つのバヨネット爪１１ａが形成されている。各バヨネット爪１１ａは、交換レンズ３０をカメラボディ１０に装着するとき、交換レンズ３０の後端部に備わったレンズマウン（レンズ側レンズマウント）３１に形成された対応する係合爪（図示せず）に係合する。
【００１０】
カメラボディ１０の正面左側にはグリップ部１２が設けられており、このグリップ部１２の上端にはレリーズ釦１３が設けられている。カメラボディ１０の上部中央にはリトラクタブル式のストロボ部１４が設けられており、カメラボディ１０の上部左右には、ストロボ部１４を挟んでシャッター速度選定ダイヤル１５と露出補正値選定ダイヤル１６が設けられている。なお、図１中ではストロボ部１４はカメラボディ１０内に退避した非使用位置にある。
【００１１】
レンズマウント１１は、複数の固定ネジ１７によってカメラボディ１０に固定されている。レンズマウント１１上には、互いに略等間隔で配設された複数の接点ピン１８が、レンズマウント１１前面（レンズマウント３１と密接する面）から若干量突出した状態で配設されている。各接点ピン１８は、カメラボディ１０内に設けられたマイコン６０（図５参照）に接続されており、カメラボディ１０と交換レンズ３０（図２参照）の間での通信に用いられる。各接点ピン１８は、カメラボディ１０に交換レンズ３０を適切に装着した状態で、レンズマウント３１上の対応する接点ピン（図示せず）に接触する。
【００１２】
レンズマウント１１前面の一部からは、交換レンズ３０側に設けられた雌カプラー（図示せず）と係合する雄カプラー１９が突出している。この雄カプラー１９は、カメラボディ１０内に備わったＡＦ用モーター（図示せず）によって回動されるもので、交換レンズ３０側の雌カプラーを介して交換レンズ３０内のＡＦレンズ群を駆動する。雄カプラー１９と、交換レンズ３０側の雌カプラーによって公知のＡＦカプラーが構成されている。
【００１３】
またカメラボディ１０の前面には、レンズマウント１１近傍に位置させてロック解除釦２０が設けられている。ロック解除釦２０は、交換式レンズ３０をカメラボディ１０から取り外すときに押される。
【００１４】
レンズマウント１１には、ロック解除釦２０の近傍に位置させて貫通孔１１ｂが穿設されており、この貫通孔１１ｂには、ロック解除釦２０と連動して前後移動するロックピン２１が嵌まっている。通常、ロックピン２１の先端部は、レンズマウント１１前面から所定量突出しており、カメラボディ１０に交換レンズ３０が適切に装着された状態では、交換レンズ３０側のレンズマウント３１上の対応する箇所に形成されたロック孔３１ａに係入する。ロックピン２１の後端部（内端部）は、ロック解除釦２０と連動して光軸方向に移動するロックピン座２２の一端部に固定されている。したがって、ロック解除釦２０が押されると、該ロック解除釦２０と連動してロックピン２１がカメラボディ１０内に退避する。
【００１５】
ロックピン２１が固定されたロックピン座２２は、カメラボディ１０内において光軸方向に移動可能に案内されている。ロック解除釦２０は、該ロック解除釦２０の移動方向（図２の左右方向）に沿ってカメラボディ１０内に延びる軸部２０ａを一体に有している。この軸部２０ａは、通常はその先端部がロックピン座２２の他端部に形成された係合部２２ａに当接しており、ロック解除釦２０が押されたときは、該係合部２２ａを同方向（光軸方向後方）に移動させる。即ち、ロック解除釦２０が押されると、軸部２０ａが係合部２２ａを押し、これによってロックピン２１がカメラボディ内に退避する。
【００１６】
ロックピン座２２には、ロック解除釦２０の軸部２０ａと略同軸に延び、且つ係合部２２ａから光軸方向後方に延出する軸２６が設けられている。この軸２６は、カメラボディ１０内に固定されたガイドフレーム２３に形成されたガイド孔２３ａに摺動可能に嵌まり、光軸方向に移動可能に案内されている。
【００１７】
したがって、ロック解除釦２０が押されると、これに連動して軸２６が光軸方向後方に向かって移動する。軸２６には、ガイドフレーム２３と係合部２２ａの間に位置させて、コイルバネ２４が圧縮された状態で嵌合している。このコイルバネ２４のバネ力よって、ロックピン座２２及び該ロックピン座２２に当接するロック解除釦２０は、光軸方向前方（図２の右方）に向かって常時付勢されている。
【００１８】
カメラボディ１０内部における、ガイドフレーム２３を挟んでロック解除釦２０とは反対の側には、スイッチ２５が固定されている。スイッチ２５は、自由状態において互いから所定距離離間した２枚のスイッチ接片２５ａ、２５ｂを有しており、スイッチ接片２５ｂの自由端部は軸２６の先端部２６ａと対向している。各スイッチ接片２５ａ、２５ｂは、弾性を有する導電材料からなり、スイッチ接片２５ｂの自由端部は、ロック解除釦２０が押されると軸２６の先端部２６ａに押されてスイッチ片２５ｂと接触する（図４参照）。ロック解除釦２０を押す力を開放すると、コイルバネ２４のバネ力によりロック解除釦２０が初期位置に復帰し、これに連動して軸２６も初期位置に復帰し、よってスイッチ片２５ｂはスイッチ接片２５ａから離間する（図３参照）。
【００１９】
レンズマウント１１の所定箇所には貫通孔１１ｃが穿設されている。この貫通孔１１ｃは、カメラボディ１０に交換レンズ３０を装着するときに、交換レンズ３０側のレンズマウント３１上に形成されたマウント指標（図示せず）と合致させるためのマウント指標が形成されるべき箇所に穿設されている。貫通孔１１ｃには、レンズマウント１１の背面に固定された照明用窓５０の凸部５０ａが嵌入している。照明用窓５０は赤色透明のプラスチック材からなり、貫通孔１１ｃに嵌まる凸部５０ａは、カメラボディ１０外部から貫通孔１１ｃ内に視認されるマウント指標として機能する。
【００２０】
カメラボディ１０内における照明用窓５０の直後には、ＬＥＤ（光源）５２が固定されている。ＬＥＤ５２が発光すると照明用窓５０が照明され、よって貫通孔１１ｃに嵌まった照明用窓５０の凸部５０ａを介して赤色光がカメラボディ１０外に照射される。つまりＬＥＤ５２は、カメラボディ１０内部側から凸部５０ａを照明するバックライト光源として備わっている。
【００２１】
カメラボディ１０内には、カメラボディ１０全般の制御を担うマイコン６０が備わっている（図５参照）。マイコン６０には、スイッチ２５、ＬＥＤ（光源）４２、及び接点ピン１８がそれぞれが接続されている。マイコン６０内部には、ＬＥＤ５２の照明開始時からの時間をカウントするタイマー６１が設けられている。
【００２２】
マイコン６０は、カメラボディ１０に対する交換レンズ３０の装着の有無を、接点ピン１８を介して交換レンズ３０側から送られるレンズデータを基に検出する。つまりマイコン６０と接点ピン１８等によってカメラボディ１０に対する交換レンズ３０の装着の有無を検知する検知手段が構成されている。
【００２３】
マイコン６０は、カメラボディ１０に対して交換レンズ３０が未装着であると認識しているときにロック解除釦２０が押されてスイッチ２５が閉成されると、ＬＥＤ５２に通電を開始してＬＥＤ５２を発光させる。さらにマイコン６０は、ＬＥＤ５２への通電開始と同時に内部のタイマー６１をスタートさせ、所定時間（例えば５秒間）経過後にＬＥＤ５２への通電を止めてＬＥＤ５２を消灯させる。
【００２４】
またマイコン６０は、カメラボディ１０に対して交換レンズ３０が装着されていると認識しているときには、ロック解除釦２０が押されてスイッチ２５が閉成されても、ＬＥＤ５２に通電はせずＬＥＤ５２を発光させない。
【００２５】
以下、上記構成を有するカメラボディ１０の動作を説明する。最初にカメラボディ１０に交換レンズ３０を装着する場合を説明する。先ず、レンズマウント３１上のマウント指標がレンズマウント１１上のマウント指標（凸部５０ａ）と合致するようにレンズマウント１１とレンズマウント３１を互いに重ね合せ、続いてカメラボディ１０と交換レンズ３０を所定の回転方向（装着方向）に所定の回転角度分相対回転させる。すると、レンズマウント１１の各バヨネット爪１１ａが、レンズマウント３１の対応する係合爪と係合し、同時にロックピン２１の先端部がロック孔３１ａに係入し、これによって交換レンズ３０の装着作業が完了する。
【００２６】
カメラボディ１０に交換レンズ３０が装着されていないときにロック解除釦２０が押されると、上述したようにマイコン６０の制御により所定時間（約５秒間）マウント指標（凸部５０ａ）が赤色発光する。よって、暗い環境下でカメラボディ１０に交換レンズ３０を装着する場合であっても、単にロック解除釦２０を押しさえすればカメラボディ１０側のマウント指標（凸部５０ａ）が発光するので、該マウント指標に交換レンズ３０側のマウント指標を容易に合致させることができる。したがって、暗い環境下であってもカメラボディ１０に交換レンズ３０を容易に装着することができる。
【００２７】
次に、カメラボディ１０に装着された交換レンズ３０を取り外す場合を説明する。先ず、ロック解除釦２０を押してロックピン２１をロック孔３１ａから退避させ、この状態からカメラボディ１０と交換レンズ３０を上記装着方向とは逆方向に所定の回転角度分相対回転させる。するとレンズマウント１１の各バヨネット爪１１ａが、レンズマウント３１の対応する係合爪から外れ、これによって交換レンズ３０の取り外し作業が完了する。
【００２８】
カメラボディ１０に装着された交換レンズ３０を取り外すときには、上述したようにマイコン６０の制御によってロック解除釦２０が押されてもＬＥＤ５２は発光しない。このマイコン６０の制御により、交換レンズ３０を取り外すときにはＬＥＤ５２は発光しないので、カメラボディ１０内に備わる内蔵バッテリ（図示せず）の消費電力が抑えられる。
【００２９】
以上のように、本発明を適用したカメラボディ１０によれば、マウント指標を視認しずらい暗い環境下であっても、カメラボディ１０に交換レンズ３０を容易に装着することができる。
【００３１】
また上記実施形態では、マイコン６０の制御によってＬＥＤ５２の照明開始から５秒後にＬＥＤ５２を消灯させる構成にしたが、照明開始から消灯までの時間を５秒未満または５秒を超える秒数に設定してもよい。また、マイコン６０の制御によらず、ロック解除釦２０が押されている間（即ちスイッチ２５が閉じられている間）のみＬＥＤ５２を発光させる構成にしてもよい。
【００３２】
また上記実施形態では、マウント指標として機能する凸部５０ａを有する照明用窓５０を赤色透明なプラスチック材料から構成したが、プラスチック材料の色は赤色のみに限定されず、別の色でもよい。
【００３３】
上記実施形態のカメラボディ１０に設けられたレンズマウント１１はバヨネット式マウントであるが、スクリュー式マウント等の他形式マウントでもよい。
【００３４】
【発明の効果】
以上のように、本発明のカメラボディによれば、交換レンズが装着されるレンズマウントに、上記交換レンズの合わせ位置を示すマウント指標として、上記レンズマウントに穿設された貫通孔およびこの貫通孔に嵌まる透明材と、この透明材からなるマウント指標をカメラボディ内から照明してマウント指標を発光させる光源とを設けたので、マウント指標を視認しずらい暗い環境下であっても、カメラボディに交換レンズを容易に装着することができる。
【図面の簡単な説明】
【図１】本発明を適用したカメラボディを示す正面図である。
【図２】図１に示すカメラボディのレンズマウント周辺の要部及び該レンズマウントに装着された交換レンズを一部断面で示す側面図である。
【図３】図２に示すカメラボディ要部のロック解除釦が押される前の状態を示す側面図である。
【図４】図２に示すカメラボディ要部のロック解除釦が押されているときの状態を示す側面図である。
【図５】図１に示すカメラボディ内に設けられた制御回路を示す回路図である。
【符号の説明】
１０  カメラボディ
１１  レンズマウント（カメラ側レンズマウント）
１２  カメラボディ
１１ｂ  貫通孔
１８  接点ピン
２０  ロック解除釦
２１  ロックピン
２５  スイッチ
３０  交換レンズ
３１  レンズマウント（レンズ側レンズマウント）
５０  照明用窓
５０ａ  凸部（マウント指標）
５２  ＬＥＤ（光源）
【図１】
0003793365.tif 000002
【図２】
0003793365.tif 000003
【図３】
0003793365.tif 000004
【図４】
0003793365.tif 000005
【図５】
0003793365.tif 000006